(57)【特許請求の範囲】
【請求項１】
第１情報取得対象に対応して設けた第１情報保持部に保持された第１識別情報を、第１取得態様を用いて実質的に非接触で読み取って取得する第１取得手段と、
この第１取得手段による取得結果に応じ、第２情報取得対象に対応して設けた第２情報保持部に保持された第２識別情報を、前記第１の取得態様とは異なる第２取得態様を用いて実質的に非接触で読み取って取得する第２取得手段と
を備えることを特徴とする情報読み取り装置。
【請求項２】
請求項１記載の情報読み取り装置において、
前記第１及び第２取得手段は、前記第１及び第２情報保持部としての第１及び第２無線タグ回路素子に対し、前記第１及び第２取得態様の一方として極超短波を用いた無線通信を行うとともに前記第１及び第２取得態様の他方として短波を用いた無線通信を行うことを特徴とする情報読み取り装置。
【請求項３】
請求項２記載の情報読み取り装置において、
前記第１取得手段は、前記第１取得態様として短波を用いて無線通信を行い、
前記第２取得手段は、前記第１取得手段において前記第１識別情報の取得が完了した後に、前記第２取得態様として極超短波を用いて無線通信を行い、前記第２識別情報の取得を行うことを特徴とする情報読み取り装置。
【請求項４】
請求項３記載の情報読み取り装置において、
前記第１取得手段は、前記第１情報取得対象としての物品に関連づけられた前記第１無線タグ回路素子に対し、前記短波として１３．５６ＭＨｚの周波数を用いて無線通信を行い、
前記第２取得手段は、前記第２情報取得対象としての人物に関連づけられた前記第２無線タグ回路素子に対し、前記極超短波を用いて無線通信を行うことを特徴とする情報読み取り装置。
【請求項５】
請求項３又は４記載の情報読み取り装置において、
前記第１及び第２取得手段は、前記第１取得手段が前記情報読み取り装置から一方側に位置する前記第１無線タグ回路素子と無線通信可能であり、前記第２取得手段が前記情報読み取り装置から他方側に位置する前記第２無線タグ回路素子と無線通信可能となるように、配置されていることを特徴とする情報読み取り装置。
【請求項６】
請求項３記載の情報読み取り装置において、
前記第１取得手段は、前記第１情報取得対象としての人物又は物品搬送手段に関連づけられた前記第１無線タグ回路素子に対し、前記短波として１３．５ＭＨｚの周波数を用いて無線通信を行い、
前記第２取得手段は、前記第２情報取得対象としての物品に関連づけられた前記第２無線タグ回路素子に対し、前記極超短波を用いて無線通信を行うことを特徴とする情報読み取り装置。
【請求項７】
請求項１記載の情報読み取り装置において、
前記第１取得手段は、前記第１情報保持部としてのバーコード記録部に対し、前記第１取得態様として光を用いた光学的取得を行い、
前記第２取得手段は、前記第１取得手段において前記第１識別情報の取得が完了した後に、前記第２情報保持部としての第２無線タグ回路素子に対し、前記第２取得態様として極超短波を用いて無線通信を行い、前記第２識別情報の取得を行うことを特徴とする情報読み取り装置。
【請求項８】
請求項１乃至７のいずれか１項記載の情報読み取り装置において、
前記第１取得手段で取得した前記第１識別情報と前記第２取得手段で取得した前記第２識別情報とを関連づけ、その関連づけを表す情報を生成する第１関連情報生成手段を有することを特徴とする情報読み取り装置。
【請求項９】
請求項１乃至７のいずれか１項記載の情報読み取り装置において、
前記第２取得手段による取得結果に応じ、第３情報取得対象に対応して設けた第３情報保持部に保持された第３識別情報を、実質的に非接触で読み取って取得する第３取得手段と、
前記第１取得手段で取得した前記第１識別情報と、前記第２取得手段で取得した前記第２識別情報と、前記第３取得手段で取得した前記第３識別情報を関連づけ、その関連づけを表す情報を生成する第２関連情報生成手段を有することを特徴とする情報読み取り装置。
【請求項１０】
請求項１乃至９のいずれか１項記載の情報読み取り装置において、
前記第１取得手段で前記第１識別情報を取得した後、前記第２取得手段又は前記第３取得手段で前記第２識別情報又は前記第３識別情報を取得できなかった場合に、対応する報知信号を生成する報知信号生成手段を有することを特徴とする情報読み取り装置。
【発明の詳細な説明】
【技術分野】
【０００１】
本発明は、読み取り対象物に備えられた無線タグ回路素子やバーコード等に保持された情報を読み取る情報読み取り装置に関する。
【背景技術】
【０００２】
物品管理を行う際に、管理対象の物品に情報保持部（バーコードや無線タグ等）を設け、その保持された情報を非接触で読み取る情報読み取り装置が既に知られている。例えば、情報保持部として無線タグを設ける場合、ＲＦＩＤ（Ｒａｄｉｏ
Ｆｒｅｑｕｅｎｃｙ Ｉｄｅｎｔｉｆｉｃａｔｉｏｎ）システムと称される。
【０００３】
このシステムにおいては、例えばラベル状の無線タグに備えられた無線タグ回路素子が、所定の無線タグ情報を記憶するＩＣ回路部とこのＩＣ回路部に接続されて情報の送受信を行うアンテナとを備えており、無線タグが汚れている場合や見えない位置に配置されている場合であっても、リーダ／ライタ側よりＩＣ回路部の無線タグ情報に対してアクセス（情報の読み取り／書き込み）が可能であり、既に様々な分野において実用が期待されている。
【０００４】
このような情報読み取り装置の従来技術として、例えば図書館において書籍の貸し出しの管理を行うための情報読み取り装置がある（例えば、特許文献１参照）。この情報読み取り装置（物品管理システム）では、図書館の出口に設けたリーダにより、出口を通過する利用者に備えられる無線タグ回路素子と、利用者が借り出そうとする書籍に備えられる無線タグ回路素子の両方から無線タグ情報を読み取ることで、どの書籍を誰に貸し出したのかが把握できるようになっている。
【０００５】
【特許文献１】特開２００１−２２９２６３号公報
【発明の開示】
【発明が解決しようとする課題】
【０００６】
上記従来技術の情報読み取り装置においては、リーダにより利用者の無線タグ回路素子と書籍の無線タグ回路素子の両方から情報を読み出す必要がある。このとき、上記特許文献には特に明確には記載されていないが、リーダから一律の周波数を用いて無線通信を行う場合には、以下のような課題が存在する。
【０００７】
すなわち、リーダが例えば一般によく用いられる短波（１３．５６ＭＨｚ等）を用いて無線通信を行う場合、通信安定性が高いという利点があるが、通信距離が短いため、利用者が書籍をリーダに近づけて書籍の無線タグ回路素子の情報を読み込ませるとともに、さらに自分の無線タグ回路素子についてもリーダに近づけて情報を読み込ませる必要があり、利用者にとって手間がかかるという問題がある。一方、リーダが極超短波（２．４５ＧＨｚ等）を用いて無線通信を行う場合、通信距離が長いため、利用者及び書籍の無線タグ回路素子以外の周辺にある無線タグ回路素子（例えば周囲に存在する人や書籍の無線タグ回路素子）についても情報が読み込まれ、正確な情報が得られない可能性がある。さらに、多数の無線タグ回路素子が応答することによる混信のおそれもある。
【０００８】
このように、上記従来技術において一律の周波数で無線通信を行う場合には、リーダで利用者及び書籍の両方から情報を取得する際における利用者の負担の低減及び混信等の通信の悪影響の防止という双方の観点をともに満足することができなかった。
【０００９】
本発明の目的は、情報取得時の互いの干渉・悪影響を防止しつつ、複数の情報取得対象から少ない手順で手軽かつ容易に情報を取得することができる情報読み取り装置を提供することにある。
【課題を解決するための手段】
【００１０】
上記目的を達成するために、第１の発明は、第１情報取得対象に対応して設けた第１情報保持部に保持された第１識別情報を、第１取得態様を用いて実質的に非接触で読み取って取得する第１取得手段と、この第１取得手段による取得結果に応じ、第２情報取得対象に対応して設けた第２情報保持部に保持された第２識別情報を、前記第１の取得態様とは異なる第２取得態様を用いて実質的に非接触で読み取って取得する第２取得手段とを備えることを特徴とする。
【００１１】
本願第１発明においては、まず第１取得手段で第１情報保持部に保持された第１識別情報を第１取得態様で取得した後、その取得結果に応じて、第２取得手段で第２情報保持部に保持された第２識別情報を第２取得態様で取得する。このように、第１取得手段と第２取得手段とで異なる取得態様を用いることにより、情報取得時の互いの干渉・悪影響を防止しつつ、複数の情報取得対象から少ない手順で手軽かつ容易に情報を取得することができる。
【００１２】
第２の発明は、上記第１発明において、前記第１及び第２取得手段は、前記第１及び第２情報保持部としての第１及び第２無線タグ回路素子に対し、前記第１及び第２取得態様の一方として極超短波を用いた無線通信を行うとともに前記第１及び第２取得態様の他方として短波を用いた無線通信を行うことを特徴とする。
【００１３】
第１取得手段と第１無線タグ回路素子との通信時と、第２取得手段と第２無線タグ回路素子との通信時とで、極超短波と短波という異なる周波数帯を用いることにより、情報取得時の互いの混信を防止しつつ、第１及び第２無線タグ回路素子情報取得対象から少ない手順で手軽かつ容易に情報を取得することができる。
【００１４】
第３の発明は、上記第２発明において、前記第１取得手段は、前記第１取得態様として短波を用いて無線通信を行い、前記第２取得手段は、前記第１取得手段において前記第１識別情報の取得が完了した後に、前記第２取得態様として極超短波を用いて無線通信を行い、前記第２識別情報の取得を行うことを特徴とする。
【００１５】
これにより、例えば物品を第１取得手段に接近させることで通信距離の短い短波を用いて第１無線タグ回路素子の第１識別情報を取得した後、通信距離の長い極超短波によって上記物品に対応した人物に係わる第２無線タグ回路素子の第２識別情報を取得する等が可能となる。また、第１識別情報の取得完了後に第２識別情報取得を行うようにすることで、第１識別情報が取得できなかった場合に第２識別情報の取得操作をやめ、無駄な電力消費を防止することができる。
【００１６】
第４の発明は、上記第３発明において、前記第１取得手段は、前記第１情報取得対象としての物品に関連づけられた前記第１無線タグ回路素子に対し、前記短波として１３．５６ＭＨｚの周波数を用いて無線通信を行い、前記第２取得手段は、前記第２情報取得対象としての人物に関連づけられた前記第２無線タグ回路素子に対し、前記極超短波を用いて無線通信を行うことを特徴とする。
【００１７】
通信距離の短い１３．５６ＭＨｚの周波数の電波を用いて物品に係わる第１無線タグ回路素子の識別情報を取得した後、周波数が９５０MHｚの通信距離の長い極超短波によって人物に係わる第２無線タグ回路素子の識別情報を取得することができる。
【００１８】
第５の発明は、上記第３又は第４発明において、前記第１及び第２取得手段は、前記第１取得手段が前記情報読み取り装置から一方側に位置する前記第１無線タグ回路素子と無線通信可能であり、前記第２取得手段が前記情報読み取り装置から他方側に位置する前記第２無線タグ回路素子と無線通信可能となるように、配置されていることを特徴とする。
【００１９】
これにより、例えば情報読み取り装置を携帯型として構成するときに、使用者によるその携帯姿勢に合致させて、物品を第１取得手段に接近させ第１無線タグ回路素子の識別情報を取得する際には無線電波を装置前方側に送信し、人物に係わる第２無線タグ回路素子の識別情報を取得する際には無線電波を装置後方側に送信する等が可能となる。
【００２０】
第６の発明は、上記第３発明において、前記第１取得手段は、前記第１情報取得対象としての人物又は物品搬送手段に関連づけられた前記第１無線タグ回路素子に対し、前記短波として１３．５ＭＨｚの周波数を用いて無線通信を行い、前記第２取得手段は、前記第２情報取得対象としての物品に関連づけられた前記第２無線タグ回路素子に対し、前記極超短波を用いて無線通信を行うことを特徴とする。
【００２１】
通信距離の短い１３．５ＭＨｚの周波数の電波を用いて人物又は物品搬送手段に係わる第１無線タグ回路素子の識別情報を取得した後、通信距離の長い極超短波によって物品に係わる第２無線タグ回路素子の識別情報を取得することができる。
【００２２】
第７の発明は、上記第１発明において、前記第１取得手段は、前記第１情報保持部としてのバーコード記録部に対し、前記第１取得態様として光を用いた光学的取得を行い、前記第２取得手段は、前記第１取得手段において前記第１識別情報の取得が完了した後に、前記第２情報保持部としての第２無線タグ回路素子に対し、前記第２取得態様として極超短波を用いて無線通信を行い、前記第２識別情報の取得を行うことを特徴とする。
【００２３】
これにより、例えば物品を第１取得手段に接近させることで光を用いてバーコード記録部の第１識別情報を取得した後、通信距離の長い極超短波によって上記物品に対応した人物に係わる第２無線タグ回路素子の第２識別情報を取得する等が可能となる。また、第１識別情報の取得完了後に第２識別情報取得を行うようにすることで、第１識別情報が取得できなかった場合に第２識別情報の取得操作をやめ、無駄な電力消費を防止することができる。また、既存のバーコードによる物品管理システムを活用又は連携してシステムを形成することができる。
【００２４】
第８の発明は、上記第１乃至第７発明のいずれかにおいて、前記第１取得手段で取得した前記第１識別情報と前記第２取得手段で取得した前記第２識別情報とを関連づけ、その関連づけを表す情報を生成する第１関連情報生成手段を有することを特徴とする。
【００２５】
これにより、２つの取得手段で取得した２つの識別情報を互いにリンクさせてデータベース等の適宜の記憶手段に格納保持することが可能となる。
【００２６】
第９の発明は、上記第１乃至第７発明のいずれかにおいて、前記第２取得手段による取得結果に応じ、第３情報取得対象に対応して設けた第３情報保持部に保持された第３識別情報を、実質的に非接触で読み取って取得する第３取得手段と、前記第１取得手段で取得した前記第１識別情報と、前記第２取得手段で取得した前記第２識別情報と、前記第３取得手段で取得した前記第３識別情報を関連づけ、その関連づけを表す情報を生成する第２関連情報生成手段を有することを特徴とする。
【００２７】
これにより、３つの取得手段で取得した３つの識別情報を互いにリンクさせてデータベース等の適宜の記憶手段に格納保持することが可能となる。
【００２８】
第１０の発明は、上記第１乃至第９発明のいずれかにおいて、前記第１取得手段で前記第１識別情報を取得した後、前記第２取得手段又は前記第３取得手段で前記第２識別情報又は前記第３識別情報を取得できなかった場合に、対応する報知信号を生成する報知信号生成手段を有することを特徴とする。
【００２９】
これにより、最初に第１取得手段で第１識別情報は取得できたが、その後の第２又は第３取得手段による第２又は第３識別情報の取得には失敗したことを確実に操作者に認識させることができる。
【発明の効果】
【００３０】
本発明によれば、情報取得時の互いの干渉・悪影響を防止しつつ、複数の情報取得対象から少ない手順で手軽かつ容易に情報を取得することができる。
【発明を実施するための最良の形態】
【００３１】
以下、本発明の一実施の形態を図面を参照しつつ説明する。本実施形態は、本発明の情報読み取り装置を例えば図書館における書籍の貸し出し管理システムに適用した例である。
【００３２】
本実施形態の情報読み取り装置を備えた図書館においては、利用者Ｍ（第２情報取得対象）は図書館に入室する際に利用者固有のＩＤ（第２識別情報）が書き込まれた無線タグ回路素子Ｔo（詳細は後述）を有するタグラベルＴMを身に着ける。また図書館内の各書籍Ｂ（第１情報取得対象）には、当該書籍固有のＩＤ（第１識別情報）が書き込まれた無線タグ回路素子Ｔoを有するタグラベルＴBが設けられている。そして、利用者が書籍を借りる際には、図書館に備え付けられるハンディスキャナ２００（情報読み取り装置）を携帯した上で借りたい書籍Ｂの前に行く。
【００３３】
図１は、上記図書館において、利用者Ｍ１が書籍Ｂ１を借りるときの様子を示す図である。この図１に示すように、利用者Ｍ１が書籍Ｂ１を借りるときには、例えば図書館の受付で借りたハンディスキャナ２００を書籍Ｂ１に近づけ、タグラベルＴB1に備えられる無線タグ回路素子Ｔo−Ｂ（図２参照）の情報の読み取りを行う。このとき、ハンディスキャナ２００により、利用者Ｍ１が身に着けたタグラベルＴM1に備えられる無線タグ回路素子Ｔo−Ｍ（図２参照）の情報の読み取りも行われる（詳細は後述）。このハンディスキャナ２００で読み込まれた情報は、無線ＬＡＮ、基地局２０５及び通信回線２０６を経て、サーバ２０７のデータベースＤＢに送られる。
【００３４】
図２は、図書館内に設けられ、本実施形態の情報読み取り装置（ハンディスキャナ２００）を有する無線タグ情報通信システムの全体構成を表すシステム構成図である。
【００３５】
図２において、無線タグ情報通信システム１は、タグラベルＴB，ＴMに備えられた無線タグ回路素子Ｔo−Ｂ，Ｔo−Ｍの情報にアクセスする（この例では読み取りを行う）ハンディスキャナ２００（情報読み取り装置）と、このハンディスキャナ２００と無線ＬＡＮ（Local
Area Network）を介し無線通信可能な基地局２０４と、この基地局２０４と無線（あるいは有線でもよい）による通信回線２０６を介し接続されデータベースＤＢを備えたサーバ２０７とを有している。
【００３６】
ハンディスキャナ２００は、タグラベルＴB及びタグラベルＴMに備えられる無線タグ回路素子Ｔo−Ｂ，Ｔo−Ｍの上記アンテナ１５１−Ｍ、１５１−Ｂとの間で無線通信により信号の授受を行うアンテナ１０Ｍ、１０Ｂと、このアンテナ１０Ｂを介し上記無線タグ回路素子Ｔo−Ｂ（第１情報保持部、第１無線タグ回路素子）のＩＣ回路部１５０−Ｂへ短波（ＨＦ）を用いた無線通信によりアクセスする（ここでは読み取りを行う）とともに、その無線タグ回路素子Ｔo−Ｂから読み出された信号を処理する高周波回路２０１Ｂと、上記アンテナ１０Ｍを介し上記無線タグ回路素子Ｔo−Ｍ（第２情報保持部、第２無線タグ回路素子）のＩＣ回路部１５０−Ｍへ極超短波（ＵＨＦ）を用いた無線通信によりアクセスし、かつその無線タグ回路素子Ｔo−Ｍから読み出された信号を処理する高周波回路２０１Ｍと、基地局２０４のアンテナ２０５を介し無線ＬＡＮによる通信を行うための無線ＬＡＮ通信部２０３と、高周波回路２０１Ｍ，２０１Ｂ及び無線ＬＡＮ通信部２０３と接続されそれらの制御を行う制御回路２０２とを有する。
【００３７】
タグラベルＴB及びタグラベルＴMに備えられる無線タグ回路素子Ｔo−Ｂ，Ｔo−Ｍは、それぞれ情報を記憶するＩＣ回路部１５０−Ｂ，１５０−ＭとこのＩＣ回路部１５０−Ｂ，１５０−Ｍにそれぞれ接続されたアンテナ１５１−Ｂ，１５１−Ｍとを備えている。アンテナ１５１−Ｍは周知のダイポールアンテナであり、またアンテナ１５１−Ｂは図２に示すようにループコイル形状に構成されており、短波帯での通信に適した構造となっている。上記ＩＣ回路部１５０−Ｍ，１５０−Ｂ（メモリ部１５５）は、対応する情報取得対象物（ここでは書類Ｂ、または利用者Ｍ）を特定可能な固有の（但し書き換え可能でもよい）識別情報としてのタグＩＤを記憶保持しており、制御回路２０２がこのタグＩＤによって上記サーバ２０７に問い合わせを行うことで、サーバ２０７のデータベースＤＢに格納保持された、当該対象物に関する種々の情報（ここでは書籍名、人物名等）を上記サーバ２０７から読み込めるようになっている。なお、上記メモリ部１５５に、タグＩＤでなく書籍情報や人物情報を直接記憶させるようにしてもよい。
【００３８】
なお、各書籍Ｂのデータについては、予め適宜の端末等を用いて入力され、サーバ２０７のデータベースＤＢに格納保持されている。また各利用者Ｍの人物情報については、例えば図書館に入室する際に図示しない無線タグ情報書き込み装置の端末等で情報の入力を行い、その情報が書き込まれた無線タグ回路素子Ｔo−Ｍを有するタグラベルＴMが利用者Ｍに渡されるようになっており、この際に入力された人物情報が上記サーバ２０７のデータベースＤＢに格納されるようになっている。
【００３９】
図３は、本実施形態のハンディスキャナ２００の全体概略構造を表す正面図である。図３において、このハンディスキャナ２００は、筐体４と、この筐体４の上部（図３中手前側）の大部分を占めるように配設され、読み込んだ情報の内容等の表示を行う表示部５と、筐体４の側面に配設され、情報の読み込みを行う際に利用者Ｍが操作を行う操作部６（例えばボタン、スイッチ等）と、情報の読み取りがうまくいかなかった場合に報知を行う例えばスピーカ等の音声報知手段７とを備えている。
【００４０】
上記筐体４には、上記無線タグ回路素子Ｔoへの信号を送信及び受信する上記アンテナ１０Ｍ，１０Ｂが備えられている。なお、このアンテナ１０Ｍ，１０Ｂから送信される信号は公知の指向性制御により指向性を持って送信されるようになっており、アンテナ１０Ｂを介して書籍Ｂの無線タグ回路素子Ｔo−Ｂに対し送信される信号はハンディスキャナ２００の前方側（図３中上側）に、アンテナ１０Ｍを介して利用者Ｍの無線タグ回路素子Ｔo−Ｍに対し送信される信号はハンディスキャナ２００の後方側（図３中下側）に送信される。また、無線ＬＡＮによる通信を行う上記無線ＬＡＮ通信部２０３のアンテナ２０３ａが備えられている。
【００４１】
図４は、上記ハンディスキャナ２００の読み取り対象である書籍Ｂ及び利用者Ｍに設けられるタグラベルＴB，ＴMに備えられた上記無線タグ回路素子Ｔo−Ｂ，Ｔo−Ｍの機能的構成の一例を表すブロック図である。
【００４２】
図４において、無線タグ回路素子Ｔo−Ｂは、ハンディスキャナ２００のアンテナ１０Ｂと短波帯の電波（本実施形態では１３．５６ＭＨｚ。但し他の周波数を用いてもよい）を用いて非接触で信号の送受信を行うアンテナ１５１−Ｂと、このアンテナ１５１−Ｂに接続されたＩＣ回路部１５０−Ｂとを有している。
【００４３】
一方、無線タグ回路素子Ｔo−Ｍは、ハンディスキャナ２００側のアンテナ１０Ｍと極超短波（本実施形態では２．４５ＧＨｚ。但し他の周波数を用いてもよい）を用いて非接触で信号の送受信を行うアンテナ１５１−Ｍと、このアンテナ１５１−Ｍに接続されたＩＣ回路部１５０−Ｍとを有している。
【００４４】
ＩＣ回路部１５０−Ｂ（または１５０−Ｍ。以下、対応関係同じ）は、アンテナ１５１−Ｂ（または１５１−Ｍ）により受信された搬送波を整流する整流部１５２−Ｂ（または１５２−Ｍ）と、この整流部１５２−Ｂ（または１５２−Ｍ）により整流された搬送波のエネルギを蓄積しＩＣ回路部１５０−Ｂ（または１５０−Ｍ）の駆動電源とするための電源部１５３−Ｂ（または１５３−Ｍ）と、上記アンテナ１５１−Ｂ（または１５１−Ｍ）により受信された搬送波からクロック信号を抽出して後述する制御部１５７−Ｂ（または１５７−Ｍ）に供給するクロック抽出部１５４−Ｂ（または１５４−Ｍ）と、所定の情報信号を記憶し得る情報記憶部として機能するメモリ部１５５−Ｂ（または１５５−Ｍ）と、上記アンテナ１５１−Ｂ（または１５１−Ｍ）に接続された変復調部１５６−Ｂ（または１５６−Ｍ）と、上記整流部１５２−Ｂ（または１５２−Ｍ）、クロック抽出部１５４−Ｂ（または１５４−Ｍ）、及び変復調部１５６−Ｂ（または１５６−Ｍ）等を介して上記無線タグ回路素子Ｔoの作動を制御するための制御部１５７−Ｂ（または１５７−Ｍ）とを備えている。
【００４５】
変復調部１５６−Ｂ（または１５６−Ｍ）は、アンテナ１５１−Ｂ（または１５１−Ｍ）により受信された上記ハンディスキャナ２００のアンテナ１０Ｂ（または１０Ｍ）からの通信信号の復調を行うと共に、上記制御部１５７−Ｂ（または１５７−Ｍ）からの返信信号に基づき、アンテナ１５１−Ｂ（または１５１−Ｍ）が受信した搬送波を変調し、アンテナ１５１−Ｂ（または１５１−Ｍ）より反射波として再送信する。
【００４６】
制御部１５７−Ｂ（または１５７−Ｍ）は、上記変復調部１５６−Ｂ（または１５６−Ｍ）により復調された受信信号を解釈し、上記メモリ部１５５−Ｂ（または１５５−Ｍ）において記憶された情報信号に基づいて返信信号を生成し、上記変復調部１５６−Ｂ（または１５６−Ｍ）により返信する制御等の基本的な制御を実行する。
【００４７】
クロック抽出部１５４−Ｂ（または１５４−Ｍ）は受信した信号からクロック成分を抽出して制御部１５７−Ｂ（または１５７−Ｍ）にクロックを抽出するものであり、受信した信号のクロック成分の速度に対応したクロックを制御部１５７−Ｂ（または１５７−Ｍ）に供給する。
【００４８】
上記構成により、タグラベルＴBに備えられる無線タグ回路素子Ｔo−ＢとタグラベルＴMに備えられる無線タグ回路素子Ｔo−Ｍとで、互いに受信感度の周波数特性が異なるようになっている。すなわち、無線タグ回路素子Ｔo−Ｂでは１３．５６ＭＨｚの搬送波（短波）に対する受信感度が最も大きくなっており、無線タグ回路素子Ｔo−Ｍでは２．４５ＧＨｚの搬送波（極超短波）に対する受信感度が最も大きくなっている。
【００４９】
図５は、上記ハンディスキャナ２００の制御系の構成を表す機能ブロック図である。
【００５０】
図５において、上記アンテナ１０Ｂを介し上記無線タグ回路素子Ｔo−ＢのＩＣ回路部１５０−Ｂ情報へアクセスする（ここでは読み取りを行う）ための上記高周波回路２０１Ｂと、上記アンテナ１０Ｍを介し上記無線タグ回路素子Ｔo−ＭのＩＣ回路部１５０−Ｍの情報へアクセスする（ここでは読み取りを行う）ための上記高周波回路２０１Ｍと、無線タグ回路素子Ｔo−Ｂ，Ｔo−ＭのＩＣ回路部１５０−Ｂ，１５０−Ｍから読み出された信号を処理して情報を読み出すとともに無線タグ回路素子Ｔo−Ｂ，Ｔo−ＭのＩＣ回路部１５０−Ｂ，１５０−Ｍへアクセスするためのアクセス情報を生成する機能を含み、ハンディスキャナ２００全体の動作を制御するための上記制御回路２０２とを有する。
【００５１】
高周波回路２０１Ｂ，２０１Ｍは詳細な説明を省略するが、周知の短波帯，極超短波帯の電波の送受信により無線タグ回路素子Ｔo−Ｂ，Ｔo−Ｍとそれぞれ通信を行う機能を有しているものであり、これら高周波回路２０１Ｂ，２０１Ｍは、アンテナ１０Ｂ，１０Ｍを介し無線タグ回路素子Ｔo−Ｂ，Ｔo−Ｍに対して信号を送信する送信部２１２Ｂ，２１２Ｍと、アンテナ１０Ｂ，１０Ｍにより受信された無線タグ回路素子Ｔo−Ｂ，Ｔo−Ｍからの反射波を入力する受信部２１３Ｂ，２１３Ｍと、送受分離器２１４Ｂ，２１４Ｍとから構成される。
【００５２】
なお、以下、説明を簡易とするために高周波回路２０１Ｂの機能構成について説明するが、高周波回路２０１Ｍについても特にかっこ書きで示した部分以外については同様の構成である。
【００５３】
送信部２１２Ｂは、無線タグ回路素子Ｔo−ＢのＩＣ回路部１５０−Ｂの無線タグ情報にアクセスする(ここでは読み取りを行う)ための搬送波を発生させる水晶振動子２３０Ｂ、ＰＬＬ（Phase
Locked Loop）２３１Ｂ、及びＶＣＯ（Voltage Controlled Oscillator）２３２Ｂと、上記制御回路２０２から供給される信号に基づいて上記発生させられた搬送波を変調（この例では制御回路２０２からの「ＴＸ＿ＡＳＫ」信号に基づく振幅変調）する送信乗算回路２１６Ｂ（但し「ＴＸ＿ＡＳＫ信号」の場合は増幅率可変アンプ等を用いてもよい）と、その送信乗算回路２１６Ｂにより変調された変調波を増幅（この例では制御回路２０２からの「ＴＸ＿ＰＷＲ」信号によって増幅率を決定される増幅）する可変送信アンプ２１７Ｂとを備えている。そして、上記発生される搬送波はＨＦ帯（高周波回路２０１ＭではＵＨＦ帯）の周波数を用いており、上記送信アンプ２１７Ｂの出力は、送受分離器２１４Ｂを介し送信アンテナ１０Ｂに伝達されて、無線タグ回路素子Ｔo−ＢのＩＣ回路部１５０−Ｂに供給される。このとき、水晶振動子２３０Ｂ、ＰＬＬ２３１Ｂ、及びＶＣＯ２３２Ｂで発生された１３．５６ＭＨｚの搬送波（短波）については、変調・増幅されて、ハンディスキャナ２００の前方側（図３中上側）に向けて送信され、上記書籍Ｂの無線タグ回路素子Ｔo−ＢのＩＣ回路部１５０−Ｂに供給されるようになっている（高周波回路２０１Ｍでは、水晶振動子２３０Ｍ、ＰＬＬ２３１Ｍ、及びＶＣＯ２３２Ｍで発生された２．４５ＧＨｚの搬送波（極超短波）は、変調・増幅されて、ハンディスキャナ２００の後方側（図３中下側）に向けて送信され、上記利用者Ｍの無線タグ回路素子Ｔo−ＭのＩＣ回路部１５０−Ｍに供給されるようになっている）。なお、無線タグ情報は上記のように変調した信号に限られず、単なる搬送波のみの場合もある。
【００５４】
受信部２１３Ｂは、アンテナ１０Ｂで受信された無線タグ回路素子Ｔo−Ｂからの反射波と上記発生させられた搬送波とを乗算して復調する受信第１乗算回路２１８Ｂと、その受信第１乗算回路２１８Ｂの出力から必要な帯域の信号のみを取り出すための第１バンドパスフィルタ２１９Ｂと、この第１バンドパスフィルタ２１９Ｂの出力を増幅する受信第１アンプ２２１Ｂと、この受信第１アンプ２２１Ｂの出力をさらに増幅してデジタル信号に変換する第１リミッタ２２０Ｂと、上記アンテナ１０Ｂで受信された無線タグ回路素子Ｔo−Ｂからの反射波と上記発生された後に移相器２２７Ｂにより位相を９０°遅らせた搬送波とを乗算する受信第２乗算回路２２２Ｂと、その受信第２乗算回路２２２Ｂの出力から必要な帯域の信号のみを取り出すための第２バンドパスフィルタ２２３Ｂと、この第２バンドパスフィルタ２２３Ｂの出力を増幅する受信第２アンプ２２５Ｂと、この受信第２アンプ２２５Ｂの出力をさらに増幅してデジタル信号に変換する第２リミッタ２２４Ｂとを備えている。そして、上記第１リミッタ２２０Ｂから出力される信号「ＲＸＳ−Ｉ」及び第２リミッタ２２４Ｂから出力される信号「ＲＸＳ−Ｑ」は、上記制御回路２０２に入力されて処理される。
【００５５】
また、受信第１アンプ２２１Ｂ及び受信第２アンプ２２５Ｂの出力は、強度検出手段としてのＲＳＳＩ（Received  Signal  Strength  Indicator)回路２２６Ｂにも入力され、それらの信号の強度を示す信号「ＲＳＳＩ」が制御回路２０２に入力されるようになっている。このようにして、本実施形態のハンディスキャナ２００では、Ｉ−Ｑ直交復調によって無線タグ回路素子Ｔoからの反射波の復調が行われる。
【００５６】
無線ＬＡＮ通信部２０３は、入出力インターフェイス（図示せず）を介し制御回路２０２に接続されている。
【００５７】
なお、制御回路２０２は、上記無線ＬＡＮ通信部２０３側の無線通信と干渉せず互いにそれぞれ排他的に無線通信を行えるように、無線タグ回路素子Ｔoとの通信用と基地局２０４のアンテナ２０５との通信用で異なる通信態様とする（例えばプロトコルや周波数等を異ならせる）ようになっている。プロトコルを異ならせる場合は、当該プロトコルに対応した上記高周波回路送信部２１２Ｂ，２１２Ｍへの増幅制御信号及び変調制御信号を出力するとともに、上記高周波回路受信部２１３Ｂ，２１３Ｍからの受信信号を入力した後上記プロトコルに基づいて無線タグ回路素子Ｔo−Ｂ，Ｔo−Ｍから読み出された信号を処理するための所定の演算処理を行う。また制御回路２０２は、操作部６等の操作手段からの操作信号を入力するとともに、表示部５への表示制御信号、音声報知手段７への報知信号等を出力する。
【００５８】
図６は、上記制御回路２０２の詳細機能を表す機能ブロック図である。
【００５９】
図６において、制御回路２０２は、いわゆるマイクロコンピュータであり、中央演算処理装置であるＣＰＵ２０２Ａ、ＲＯＭ２０２Ｂ、ＲＡＭ２０２Ｃ、高周波回路２０１Ｂ，２０１Ｍとの信号送受を行う回路制御部２０２Ｄ等から構成され、ＲＡＭ２０２Ｃの一時記憶機能を利用しつつＲＯＭ２０２Ｂに予め記憶されたプログラムに従って信号処理を行うようになっている。またこの制御回路２０２は、無線ＬＡＮ通信部２０３とアンテナ２０５との無線ＬＡＮ通信及び基地局２０４を介し通信回線２０６（前述の図１参照）に接続されており、この通信回線２０６に接続された前述のサーバ２０７や、さらに他の端末、コンピュータ、及びサーバ等との間で情報のやりとりが可能となっている。また、不揮発性メモリ（Ｆｌａｓｈ
ＲＯＭ）２０２Ｅを備えていても良い。なお、前述のサーバ２０７についてもＣＰＵ、ＲＯＭ、及びＲＡＭ等から構成されている。
【００６０】
以上において、本実施形態の特徴は、書籍Ｂに備えられる無線タグ回路素子Ｔo―Ｂと利用者Ｍに備えられる無線タグ回路素子Ｔo−Ｍとに異なる周波数帯の無線タグ回路素子を用い、利用者Ｍが書籍Ｂを借り出す際に、ハンディスキャナ２００で上記無線タグ回路素子Ｔo−Ｂ，Ｔo−Ｍのそれぞれに対し異なる周波数を用いて無線通信を行い、一度に情報を読み取るようにしたことにある。以下、その詳細手順を、図７を用いて順を追って説明する。
【００６１】
図７は、上記制御回路２０２が実行する制御手順を表すフローチャートである。例えばハンディスキャナ２００の電源が投入されることによって、このフローが開始される。
【００６２】
まずステップＳ１０では、利用者Ｍ１により上記操作部６が操作され、その操作に対応する操作信号が制御回路２０２のＣＰＵ２０２Ａに入力されたかどうかを判定する。すなわち、利用者Ｍ１がハンディスキャナ２００を携帯して借り出そうとする書籍Ｂ１の前まで行き、ハンディスキャナ２００を書籍Ｂ１に近接させて操作部６を操作した場合には、判定が満たされて次のステップＳ２０に移る。上記操作がなされていない場合には、操作入力があるまで操作待ち状態となる。
【００６３】
ステップＳ２０では、上記送信部２１２に制御信号を送信し、水晶振動子２３０Ｂ、ＰＬＬ２３１Ｂ、及びＶＣＯ２３２Ｂから１３．５６ＭＨｚの搬送波（短波）を発生させ、制御信号に基づいて発生した搬送波を変調・増幅させ、送受分離器２１４Ｂ及び送信アンテナ１０Ｂを介し、利用者Ｍ１が借り出そうとする書籍Ｂ１のタグラベルＴB1に備えられる無線タグ回路素子Ｔo−Ｂ１のＩＣ回路部１５０−Ｂ１に対して読み取り信号（例えば探索信号Ping等）を送信させる。なお、この読み取り信号はアンテナ１０からハンディスキャナ２００の前方方向に向かって送信される。
【００６４】
次のステップＳ３０では、上記読み取り信号を送信した無線タグ回路素子Ｔo−Ｂ１のＩＣ回路部１５０−Ｂ１から、上記読み取り信号に対応した応答信号が受信されたかどうかを判定する。応答信号を受信していない場合には、判定が満たされずに上記ステップＳ２０に戻る。一方、応答信号を受信した場合には判定が満たされて、次のステップＳ４０に移る。
【００６５】
ステップＳ４０では、上記送信部２１２に制御信号を送信し、水晶振動子２３０Ｍ、ＰＬＬ２３１Ｍ、及びＶＣＯ２３２Ｍから２．４５ＧＨｚの搬送波（極超短波）を発生させ、制御信号に基づいて発生した搬送波を変調・増幅させ、送受分離器２１４Ｍ及び送信アンテナ１０Ｍを介し、利用者Ｍ１が身に着けるタグラベルＴM1に備えられる無線タグ回路素子Ｔo−Ｍ１のＩＣ回路部１５０−Ｍ１に対して読み取り信号（例えば探索信号Ping等）を送信させる。なお、この読み取り信号はアンテナ１０からハンディスキャナ２００の後方方向に向かって送信される。
【００６６】
次のステップＳ５０では、上記読み取り信号を送信した無線タグ回路素子Ｔo−Ｍ１のＩＣ回路部１５０−Ｍ１から、上記読み取り信号に対応した応答信号が受信されたかどうかを判定する。応答信号を受信した場合には判定が満たされて、次のステップＳ６０に移る。
【００６７】
ステップＳ６０では、上記ステップＳ２０，３０で読み取った書籍Ｂ１に関する情報と、上記ステップＳ４０，５０で読み取った利用者Ｍ１に関する情報とを関連付け、この関連付け情報を無線ＬＡＮを介し無線通信により基地局２０４に送信し、この基地局２０４と通信回線２０６を介して接続されたサーバ２０７のデータベースＤＢに登録させる。そして、先のステップＳ１０に戻る。
【００６８】
なお、上記ステップＳ５０において、応答信号を受信していない場合には、判定が満たされずにステップＳ７０に移る。
【００６９】
ステップＳ７０では、上記ステップＳ４０で最初に利用者Ｍ１の無線タグ回路素子Ｔo−Ｍ１に対し読み取り信号を送信した後、所定の時間が経過したかどうかを判定する。所定の時間が経過していない場合には、判定が満たされずにステップＳ４０に戻る。一方、応答信号が受信されないまま所定の時間が経過してしまった場合には、判定が満たされて次のステップＳ８０に移る。
【００７０】
ステップＳ８０では、音声報知手段７に対し報知信号を出力し、当該音声報知手段７により利用者タグの読み取りがうまくいかなかった旨を報知させる。なお、表示部５に対し表示信号を出力し、当該表示部５に利用者タグの読み取りがうまくいかなかった旨を表示させてもよい。そして、先のステップＳ１０に戻る。
【００７１】
なお、以上では利用者Ｍ１が書籍Ｂ１の１冊を借り出す場合を例にとって説明したが、例えば利用者Ｍ１が複数の書籍Ｂ（例えばＢ１〜Ｂ３）を借り出す場合には、利用者Ｍ１がそれぞれの書籍Ｂに対しハンディスキャナ２００を近接させて同様の操作を行うことにより、上記フローに示す手順が繰り返し行われる。
【００７２】
図８は、上記のようにしてサーバ２０７のデータベースＤＢに登録された関連付け情報の一例を模式的に表す概念図である。
【００７３】
この図８に示すように、サーバ２０７のデータベースＤＢには、利用者、書籍、貸出日、返却日からなる貸し出しテーブルが登録されている。利用者、書籍に関する情報は、上述したようにハンディスキャナ２００から無線ＬＡＮ、基地局２０４及び通信回線２０６を介して受信される関連付け情報（ここでは利用者、書籍のＩＤ情報）とデータベースＤＢ上の人物、書籍情報とを照らし合わせることにより、利用者名と書籍名が貸し出しテーブル上に登録される（なお、ＩＤ自体を登録するようにしてもよい）。また、貸出日及び返却日は、例えばサーバ２０７により自動的に付記登録されるようになっている。この図８の例では、利用者Ｍ１が同日に書籍Ｂ１〜Ｂ３の３冊を借り出し（まだ返却されていない）、利用者Ｍ２が借り出した書籍Ｂ９については既に返却されていることを示している。
【００７４】
なお、この貸し出しテーブル情報を、利用者Ｍ１が適宜の操作を行うことにより、ハンディスキャナ２００の表示部５で表示するようにしてもよい。
【００７５】
以上において、高周波回路２０１Ｂ，２０１Ｍ、アンテナ１０Ｂ，１０Ｍ、及び制御回路２０２（詳細には図７のフロー中ステップＳ２０〜Ｓ３０）は、特許請求の範囲各項記載の第１識別情報を第１取得態様を用いて実質的に非接触で読み取って取得する第１取得手段を構成し、高周波回路２０１Ｂ，２０１Ｍ、アンテナ１０Ｂ，１０Ｍ、及び制御回路２０２（詳細には図７のフロー中ステップＳ４０〜Ｓ５０）は、特許請求の範囲各項記載の第２識別情報を第１の取得態様とは異なる第２取得態様を用いて実質的に非接触で読み取って取得する第２取得手段を構成する。また、制御回路２０２（詳細には図７のフロー中ステップＳ６０）は、請求項８記載の関連付けを表す情報を生成する第１関連情報生成手段をも構成する。さらに、制御回路２０２（詳細には図７のフロー中ステップＳ８０）は、請求項１０記載の対応する報知信号を生成する報知信号生成手段をも構成する。
【００７６】
以上説明したように、本実施形態においては、図書館において利用者Ｍが書籍Ｂを借り出したい場合には、ハンディスキャナ２００を携帯した上で書籍Ｂの前に行き、ハンディスキャナ２００を書籍Ｂに近接させて操作部６の操作を行い、情報の読み取りを行わせる。このとき、送信アンテナ１０Ｂを介し、書籍ＢのタグラベルＴBに備えられる無線タグ回路素子Ｔo−ＢのＩＣ回路部１５０−Ｂに対して１３．５６ＭＨｚの周波数で読み取り信号が送信され、書籍Ｂの書籍情報が読み出されるとともに、送信アンテナ１０Ｍを介し、利用者Ｍが身に着けるタグラベルＴMに備えられる無線タグ回路素子Ｔo−ＭのＩＣ回路部１５０−Ｍに対して２．４５ＧＨｚの周波数で読み取り信号が送信され、利用者Ｍの人物情報が読み出される。そして、これら読み出された書籍情報と利用者情報とが、無線ＬＡＮ通信部２０３、基地局２０５、通信回線２０６を介しサーバ２０７へ送信され、適宜の情報（日付情報等）を付記されてデータベースＤＢに登録される。
【００７７】
このように、本実施形態においては、ハンディスキャナ２００により、まず１３．５６ＭＨｚの短波（ＨＦ）を用いて書籍Ｂの無線タグ回路素子Ｔo−Ｂに保持された書籍情報の取得を完了した後に、２．４５ＧＨｚの極超短波（ＵＨＦ）を用いて利用者Ｍの無線タグ回路素子Ｔo−Ｍに保持された利用者情報を取得する。このように、書籍Ｂと利用者Ｍとで異なる取得態様（本実施形態では異なる周波数による無線通信）を用いることにより、一律の取得態様（ここでは一律の周波数）で情報取得を行う場合に比べ、情報取得時の互いの干渉・悪影響（ここでは混信等の通信上の干渉・悪影響）を防止することができる。さらに、容易な操作（本実施形態ではハンディスキャナ２００を書籍Ｂに近づけて操作部６を操作）をするのみで複数の情報取得対象（書籍Ｂと利用者Ｍ）から情報を読み取ることができるので、複数の情報取得対象から少ない手順で手軽かつ容易に情報を取得することができる。
【００７８】
また、本実施形態では特に、書籍Ｂに設けられる無線タグ回路素子Ｔo−Ｂの情報を読み取る際に１３．５６ＭＨｚの短波（ＨＦ）を用いて通信を行い、利用者Ｍが身に着ける無線タグ回路素子Ｔo−Ｍの情報を読み取る際に２．４５ＧＨｚの極超短波（ＵＨＦ）を用いて通信を行う。
【００７９】
ここで、一般に、短波（１３．５６ＭＨｚ等）を用いて無線通信を行う場合、通信距離は短いが通信安定性は高いという特徴がある。一方、極超短波（２．４５ＧＨｚ等）を用いて無線通信を行う場合には、通信距離は長いが、読み取り対象の周辺にある対象についても情報が読み込まれる可能性があるという特徴がある。したがって、本実施形態では上述のような周波数の使い分けをすることにより、書棚に並べて配置されることから近い距離で隣接する書籍Ｂの無線タグ回路素子Ｔo−Ｂからの情報の読み取りについては、通信距離が短い短波（１３．５６ＭＨｚ等）を用いて読み取り対象の書籍Ｂの無線タグ回路素子Ｔo−Ｂに対して確実に通信を行えるようにすることができる。一方、利用者Ｍの無線タグ回路素子Ｔo−Ｍからの情報の読み取りについては、人物同士はそんなに近い距離に存在しないことから、通信距離が比較的長い極超短波（２．４５ＧＨｚ等）を用いることで対象である利用者Ｍの情報を読み取ることができる。このように、本実施形態では、読み取り対象に応じた周波数の使い分けをすることにより、情報取得時の互いの混信等の通信上の影響を防止しつつ、読み取り対象の情報を確実に読み取ることができる。
【００８０】
また、本実施形態では特に、ハンディスキャナ２００からアンテナ１０Ｂを介して書籍Ｂの無線タグ回路素子Ｔo−Ｂに対し送信される信号は、ハンディスキャナ２００の前方側（図３中上側）に、ハンディスキャナ２００からアンテナ１０Ｍを介して利用者Ｍの無線タグ回路素子Ｔo−Ｍに対し送信される信号は、ハンディスキャナ２００の後方側（図３中下側）に送信する。これにより、利用者Ｍがハンディスキャナ２００を携帯するその携帯姿勢に合致させて無線電波を送信することができ、ハンディスキャナ２００を用いた情報読み取り操作の操作性を向上することができる。
【００８１】
また、本実施形態では特に、ハンディスキャナ２００で読み取った書籍Ｂに関する情報と利用者Ｍに関する情報とを関連付け、この関連付け情報をサーバ２０７のデータベースＤＢに登録させる。これにより、書籍の貸し出し管理を効率的に行うことができる。また、当該データベースＤＢに登録した関連付け情報を用いて、例えば今までに自分が借りた本の一覧（人テーブル）や、借りたいと思う本の今までの貸し出し履歴一覧（書籍テーブル）等を作成するといったことが可能となり、利便性を向上することができる。
【００８２】
また、本実施形態では特に、書籍Ｂの無線タグ回路素子Ｔo−Ｂから情報の読み取りを終えた後、利用者Ｍの無線タグ回路素子Ｔo−Ｍから情報の読み取りがうまくいかなかった場合に、音声報知手段７により報知を行う。これにより、利用者Ｍに関する人物情報の取得に失敗したことを利用者Ｍに確実に認識させることができる。その結果、利用者Ｍに再度読み取り操作を行うことを促すことができる。
【００８３】
なお、本発明は、上記実施形態に限られず、その趣旨と技術思想の範囲を逸脱しない範囲で更に種々の変形が可能である。以下その変形例を説明する。
【００８４】
（１）定置型のスキャナを用いる場合
上記実施形態においては、利用者が携帯できるハンディスキャナ２００を用いて書籍Ｂ及び利用者Ｍの情報を読み取るようにしたが、これに限られず、定置型のスキャナを用いるようにしてもよい。
【００８５】
図９は、本変形例における利用者Ｍ１が書籍Ｂ１を借りるときの様子を示す図である。この図９に示すように、本変形例においては、例えば図書館の受付に定置型のスキャナ３００（情報読み取り装置）が設置されている。この定置型スキャナ３００は、前述のハンディスキャナ２００が書籍Ｂの無線タグ回路素子Ｔo−Ｂに対し送信する信号をハンディスキャナ２００の前方側に、利用者Ｍの無線タグ回路素子Ｔo−Ｍに対し送信する信号はハンディスキャナ２００の後方側に送信したのに対し、どちらの無線タグ回路素子Ｔo−Ｂ，Ｔo−Ｍに対してもスキャナ３００の前方側（図９中右側）に信号を送信するようになっている。その他については、前述のハンディスキャナ２００とほぼ同等の機能を備えている。
【００８６】
上記構成の本変形例では、利用者Ｍ１は図書館に入室する際に利用者固有のＩＤが書き込まれた無線タグ回路素子Ｔo−Ｍ１を有するタグラベルＴM1を身に着け、借りたい書籍Ｂ１を書棚から取り出して受付まで持って行き、その書籍Ｂ１を受付でスキャナ３００に近接させる。これにより、スキャナ３００は、書籍Ｂ１に備えられる無線タグ回路素子Ｔo―Ｂ１と１３．５６ＭＨｚの短波（ＨＦ）を用いて無線通信を行うとともに、利用者Ｍ１に備えられる無線タグ回路素子Ｔo−Ｍ１と２．４５ＧＨｚの極超短波（ＵＨＦ）を用いて無線通信を行い、書籍Ｂ１及び利用者Ｍ１の双方から情報の読み取りを行う。そして、このスキャナ３００で読み込まれた情報は、無線ＬＡＮ、基地局２０４及び通信回線２０６を経て、サーバ２０７のデータベースＤＢに関連付け情報として登録される。
【００８７】
なお、本変形例においては、スキャナ３００に情報の読み取りを行わせる際、利用者Ｍがスキャナ３００の適宜の操作部（図示せず）を操作することにより図７に示すフローと同手順で行わせるようにしてもよいが、これに限られず、スキャナ３００の高周波回路及びアンテナから常時読み取り信号（例えば探索信号Ping等）を送信しておき、利用者Ｍが書籍Ｂを近づけると自動的に読み取りを行うようにしてもよい。この場合、スキャナ３００において利用者Ｍが書籍Ｂを近づけることにより書籍タグＴo−Ｍから応答信号が受信されると、引き続いて利用者Ｍの無線タグ回路素子Ｔo−Ｍから情報の読み取りが行われる。
【００８８】
上記構成の本変形例によっても、上記実施形態と同様の効果を得ることができる。
【００８９】
（２）場所タグを設ける場合
上記実施形態では特に設置しなかったが、書籍の位置情報を記憶させた無線タグ回路素子Ｔoを適宜の位置に設けておき、ハンディスキャナ２００′で書籍情報とともにその位置情報を読み取るようにしてもよい。
【００９０】
図１０は、本変形例における図書館の係員Ｍ３が書籍Ｂ１を書棚Ｃ１に戻すときの様子を示す図である。本変形例の図書館においては、各書棚Ｃの前方の床面（または床下でもよい）にその書棚Ｃの識別情報（ＩＤ）が書き込まれた無線タグ回路素子Ｔo−Ｃ（第３情報保持部）が設置されている（無線タグ回路素子Ｔoを有するタグラベルを設けてもよい）。この図１０において、書籍Ｂ１が収納される書棚Ｃ１の前方の床面にこの書棚Ｃ１の識別情報（第３識別情報）が書き込まれた無線タグ回路素子Ｔo−Ｃ１が設置されている。そして、ハンディスキャナ２００′は、書籍の返却時に、書籍Ｂ１に設けられた無線タグ回路素子Ｔo−Ｂ１と上記床面に設けられた無線タグ回路素子Ｔo−Ｃ１とに対し、異なる周波数で無線通信を行う制御回路２０２′（図示せず）を有している。その他の構成については上記実施形態と同様であるので説明を省略する。
【００９１】
本変形例では、利用者Ｍ１が書籍を借りる際は、上記実施形態と同様の手順を行う。すなわち、利用者Ｍ１は図書館に入室する際に利用者固有のＩＤが書き込まれた無線タグ回路素子Ｔo−Ｍ１を有するタグラベルＴM1を身に着けた上で、ハンディスキャナ２００′を借りたい書籍Ｂ１に近接させて、書籍Ｂ１の無線タグ回路素子Ｔo−Ｂ１及び利用者Ｍ１の無線タグ回路素子Ｔo−Ｍ１の情報の読み取りを行わせる。これにより、利用者情報と書籍情報とを含む関連付け情報がサーバ２０７のデータベースＤＢに登録される。そして、返却の際は、利用者Ｍ１は書籍Ｂ１を例えば受付に返却する。この返却された書籍Ｂ１を、図書館の係員Ｍ３がハンディスキャナ２００′を携帯して書棚Ｃ１に持って行き、元の場所に収納する。収納後、ハンディスキャナ２００′を書籍Ｂ１に近接させて、情報の読み取りを行わせる。なお、以上では、係員Ｍ３が書籍Ｂ１を元の場所に戻すようにしたが、書籍Ｂ１を借りた利用者Ｍ１本人が戻すようにしてもよい。
【００９２】
図１１は、上記返却時に制御回路２０２′が実行する制御手順を表すフローチャートである。例えばハンディスキャナ２００′の電源が投入されることによって、このフローが開始される。
【００９３】
ステップＳ１０〜ステップＳ３０は、前述の図７に示すフローと同様であり、係員Ｍ３によりハンディスキャナ２００′の上記操作部６が操作されると、１３．５６ＭＨｚの短波を用いて書籍Ｂ１のタグラベルＴB1に備えられる無線タグ回路素子Ｔo−Ｂ１と無線通信を行い、書籍情報の読み取りを行う。無線タグ回路素子Ｔo−Ｂ１から応答信号が受信されると、ステップＳ３０の判定が満たされ、次のステップＳ４０Ａに移る。
【００９４】
ステップＳ４０Ａでは、上記送信部２１２Ｍに制御信号を送信し、水晶振動子２３０Ｍ、ＰＬＬ２３１Ｍ、及びＶＣＯ２３２Ｍから２．４５ＧＨｚの搬送波（極超短波）を発生させ、制御信号に基づいて発生した搬送波を変調・増幅させ、送受分離器２１４Ｍ及び送信アンテナ１０Ｍを介し、書棚Ｃ１の前方の床面に設けられた上記無線タグ回路素子Ｔo−Ｃ１のＩＣ回路部１５０−Ｃ１（図示せず）に対して読み取り信号（例えば探索信号Ping等）を送信させる。このときの無線通信は、例えば２．４５ＧＨｚの極超短波（ＵＨＦ）を用いて行われる。
【００９５】
次のステップＳ５０Ａでは、上記読み取り信号を送信した無線タグ回路素子Ｔo−Ｃ１のＩＣ回路部１５０−Ｃ１から、上記読み取り信号に対応した応答信号が受信されたかどうかを判定する。応答信号を受信した場合には判定が満たされて、次のステップＳ９０に移る。
【００９６】
ステップＳ９０では、サーバ２０７のデータベースＤＢに予め登録された書籍Ｂと書棚Ｃとの関連付け情報を通信回線２０６、基地局２０４及び無線ＬＡＮを介して読出し、上記ステップＳ２０，Ｓ３０で読み取った書籍Ｂ１に関する情報及び上記ステップＳ４０Ａ，５０Ａで読み取った書籍Ｂ１の位置に関する情報（すなわち書棚Ｃ１の識別情報）と比較し、書籍Ｂ１が正しい位置（正しい書棚）に戻されたかどうかを判定する。正しい位置に戻されている場合には、判定が満たされて次のステップＳ６０Ａに移る。
【００９７】
ステップＳ６０Ａでは、上記ステップＳ２０，Ｓ３０で読み取った書籍Ｂ１に関する情報と、上記ステップＳ４０Ａ，５０Ａで読み取った書籍Ｂ１の位置に関する情報（すなわち書棚Ｃ１の識別情報）とを関連付け、この関連付け情報を無線ＬＡＮ、基地局２０４及び通信回線２０６を介してサーバ２０７のデータベースＤＢに送信し、書籍Ｂ１が正しい位置に返却されたことを登録させる。そして、先のステップＳ１０に戻る。
【００９８】
ステップＳ７０，Ｓ８０については前述の図７に示すフローと同様であり、無線タグ回路素子Ｔo−Ｃ１の情報の読み取りがうまくいかなかった場合には、音声報知手段７に対し報知信号を出力し、音声報知手段７によりその旨を報知させる。また、上記ステップＳ９０において、書籍Ｂ１が正しい位置に戻されなかった場合にも、ステップＳ８０に移り、音声報知手段７により返却位置が正しくない旨を報知させる。なお、表示部５に対し表示信号を出力し、表示部５に表示させてもよい。そして、先のステップＳ１０に戻る。
【００９９】
上記構成の本変形例によっても、上記実施形態と同様の効果を得ることができる。
【０１００】
なお、上記変形例では、書籍Ｂ１が収納される書棚Ｃ１の前方の床面に無線タグ回路素子Ｔo−Ｃ１を設置するようにしたが、設置箇所はこれに限られず、例えば書棚Ｃ１自体や、床以外の構造物等、書籍Ｂ１の返却位置を特定でき、且つハンディスキャナ２００′で読み取れる範囲にあるものであればよい。
【０１０１】
また、上記変形例では、貸し出し時に書籍情報と人物情報、返却時に書籍情報と位置情報を読み取るようにしたが、これに限られず、例えば貸し出し時及び返却時の双方において書籍情報、人物情報及び位置情報の全情報を読み取るようにしてもよい。これにより、例えば書籍がどの位置から取り出されたか、誰が返却したか等が把握できるようになり、さらに詳細な書籍の貸し出し管理を行うことができる。なお、この場合における上記制御回路２０２′が、請求項９記載の第２関連情報生成手段を構成する。
【０１０２】
次に、本発明の他の実施の形態を図面を参照しつつ説明する。本実施形態は、本発明の情報読み取り装置を例えば倉庫における物品管理システムに適用した例である。
【０１０３】
本実施形態の情報読み取り装置を備えた物品管理システムにおいては、各荷物Ｌには荷物固有のＩＤ（第２識別情報）が書き込まれた無線タグ回路素子Ｔo−Ｌ（詳細は後述）を有するタグラベルＴLが設けられている。一方、上記荷物Ｌを搬送するフォークリフトＦには、その底部に当該車両固有のＩＤ（第１識別情報）が書き込まれた無線タグ回路素子Ｔo−Ｆを有するタグラベルＴFが設けられている。そして、倉庫へ荷物Ｌを搬入する際には、上記フォークリフトＦで荷物Ｌを搬送して倉庫の出入口３０を通過する。
【０１０４】
図１２は、倉庫に設けられ、本実施形態の情報読み取り装置を有する無線タグ情報通信システムの全体構成を表すシステム構成図である。
【０１０５】
この図１２において、無線タグ情報通信システム２は、倉庫への搬入・搬出作業を行うフォークリフトＦ（この例ではＦ１）の底部に設けられたタグラベルＴF（この例ではＴF1。なお、ラベルでなくともよい）に備えられた無線タグ回路素子Ｔo−Ｆ（この例ではＴo−Ｆ１）及び上記フォークリフトＦ（第１情報取得対象、物品搬送手段）により搬送される荷物Ｌ（この例では荷物Ｌ１〜Ｌ４）に設けられたタグラベルＴL（この例ではＴL1〜ＴL4）に備えられた無線タグ回路素子Ｔo−Ｌ（この例ではＴo−Ｌ１〜Ｔo−Ｌ４）とアクセス（ここでは情報の読み取り）を行うスキャナ４００（情報読み取り装置）と、このスキャナ４００と通信回線４０６を介し接続されデータベースＤＢを備えたサーバ４０７とを有している。
【０１０６】
スキャナ４００は、上記タグラベルＴFに備えられる無線タグ回路素子Ｔo−Ｆ（第１情報保持部、第１無線タグ回路素子）との間で無線通信により信号の授受を行うアンテナ１０Ａと、上記タグラベルＴLに備えられる無線タグ回路素子Ｔo−Ｌ（第２情報保持部、第２無線タグ回路素子）との間で無線通信により信号の授受を行うアンテナ１０Ｂと、上記アンテナ１０Ａを介し上記無線タグ回路素子Ｔo−Ｆへ短波（ＨＦ）を用いた無線通信によりアクセス（ここでは情報の読み取り）を行うとともに、その無線タグ回路素子Ｔo−Ｆから読み出された信号を処理する高周波回路４０１Ａと、上記アンテナ１０Ｂを介し上記無線タグ回路素子Ｔo−Ｌへ極超短波（ＵＨＦ）を用いた無線通信によりアクセス（ここでは情報の読み取り）を行うとともに、その無線タグ回路素子Ｔo−Ｌから読み出された信号を処理する高周波回路４０１Ｂと、通信回線４０６を介しサーバ４０７のデータベースＤＢと通信を行うための通信制御部４０３と、高周波回路４０１Ａ，４０１Ｂ及び通信制御部４０３と接続されそれらの制御を行う制御回路４０２とを有する。上記アンテナ１０Ａは、フォークリフトＦの底部に設けられた上記タグラベルＴFの無線タグ回路素子Ｔo−Ｆとの間で良好に通信が行えるように、倉庫の出入口３０の下部（例えば路面）に配設されており、上記アンテナ１０Ｂは、フォークリフトＦによって搬送される各荷物Ｌ（第２情報取得対象、物品）に設けられたタグラベルＴLの無線タグ回路素子Ｔo−Ｌとの間で良好に通信が行えるように、上記出入口３０の側面（又は上面でもよい）に配設されている。
【０１０７】
上記タグラベルＴF及びタグラベルＴLに備えられる無線タグ回路素子Ｔo−Ｆ，Ｔo−Ｌは、特に図示はしないが、それぞれ情報を記憶するＩＣ回路部１５０とこのＩＣ回路部１５０に接続されたアンテナ１５１とを備えている。すなわち、無線タグ回路素子Ｔo−Ｆは、スキャナ４００側の上記アンテナ１０Ａと短波（本実施形態では１３．５６ＭＨｚ。但し他の周波数を用いてもよい）を用いて非接触で信号の送受信を行うアンテナ１５１−Ｆと、このアンテナ１５１−Ｆに接続されたＩＣ回路部１５０−Ｆとを有している。一方、無線タグ回路素子Ｔo−Ｌは、スキャナ４００側の上記アンテナ１０Ｂと極超短波（本実施形態では２．４５ＧＨｚ。但し他の周波数を用いてもよい）を用いて非接触で信号の送受信を行うアンテナ１５１−Ｌと、このアンテナ１５１−Ｌに接続されたＩＣ回路部１５０−Ｌとを有している。
【０１０８】
上記ＩＣ回路部１５０（メモリ部１５５）は、対応する対象物（ここではフォークリフトＦ、または荷物Ｌ）を特定可能な固有の（但し書き換え可能でもよい）識別情報としてのタグＩＤを記憶保持しており、制御回路４０２がこのタグＩＤによって上記サーバ４０７に問い合わせを行うことで、サーバ４０７のデータベースＤＢに予め格納保持された当該対象物に関する種々の情報（例えばフォークリフトの車号又は運転者名、荷物名等）を上記サーバ４０７から読み込めるようになっている。なお、上記メモリ部１５５に、タグＩＤでなく上記情報を直接記憶させるようにしてもよい。
【０１０９】
図１３は、上記スキャナ４００の制御系の構成を表す機能ブロック図であり、前述した一実施形態の図５に対応する図である。この図１３において、前述の図５と同様の部分は説明を省略する。
【０１１０】
図１３において、スキャナ４００は、上記アンテナ１０Ａを介し上記無線タグ回路素子Ｔo−Ｆの情報を読み取るための上記高周波回路４０１Ａと、上記アンテナ１０Ｂを介し上記無線タグ回路素子Ｔo−Ｌの情報を読み取るための上記高周波回路４０１Ｂと、無線タグ回路素子Ｔo−Ｆ，Ｔo−Ｌから読み出された信号を処理して情報を読み出すとともに無線タグ回路素子Ｔo−Ｆ，Ｔo−Ｌへアクセスするためのアクセス情報を生成する機能を含み、スキャナ４００全体の動作を制御するための上記制御回路４０２とを有する。
【０１１１】
高周波回路４０１Ａ，４０１Ｂの構成は、前述の高周波回路２０１Ｂ，２０１Ｍと同様である。すなわち、高周波回路４０１Ａの送信部４１２Ａは、無線タグ回路素子Ｔo−ＦのＩＣ回路部１５０−Ｆの無線タグ情報にアクセスする(ここでは読み取りを行う)ための搬送波を発生させる水晶振動子４３０Ａ、ＰＬＬ（Phase
Locked Loop）４３１Ａ、及びＶＣＯ（Voltage Controlled Oscillator）４３２Ａを備えており、上記発生される搬送波はＨＦ帯の周波数を用いている。また、高周波回路４０１Ｂの送信部４１２Ｂは、無線タグ回路素子Ｔo−ＬのＩＣ回路部１５０−Ｌの無線タグ情報にアクセスする(ここでは読み取りを行う)ための搬送波を発生させる水晶振動子４３０Ｂ、ＰＬＬ（Phase
Locked Loop）４３１Ｂ、及びＶＣＯ（Voltage Controlled Oscillator）４３２Ｂを備えており、上記発生される搬送波はＵＨＦ帯の周波数を用いている。そして、高周波回路４０１Ａの水晶振動子４３０Ａ、ＰＬＬ４３１Ａ、及びＶＣＯ４３２Ａで発生された１３．５６ＭＨｚの搬送波（短波）については、変調・増幅されて、アンテナ１０Ａを介して送信され、上記フォークリフトＦの無線タグ回路素子Ｔo−ＦのＩＣ回路部１５０−Ｆに供給されるようになっている。一方、高周波回路４０１Ｂの水晶振動子４３０Ｂ、ＰＬＬ４３１Ｂ、及びＶＣＯ４３２Ｂで発生された２．４５ＧＨｚの搬送波（極超短波）は、変調・増幅されて、アンテナ１０Ｂを介して送信され、上記荷物Ｌの無線タグ回路素子Ｔo−ＬのＩＣ回路部１５０−Ｌに供給されるようになっている。なお、無線タグ情報は上記のように変調した信号に限られず、単なる搬送波のみの場合もある。
【０１１２】
通信制御部４０３は、入出力インターフェイス（図示せず）を介し制御回路４０２に接続されている。また制御回路４０２は、操作部４１６（図示せず）等の操作手段からの操作信号を入力するとともに、表示部４１５（図示せず）への表示制御信号、音声報知手段４１７（図示せず）への報知信号等を出力する。
【０１１３】
図１４は、上記制御回路４０２が実行する制御手順を表すフローチャートである。例えばスキャナ４００の電源が投入されることによって、このフローが開始される。
【０１１４】
まずステップＳ１１０では、上記送信部４１２Ａに制御信号を送信し、水晶振動子４３０Ａ、ＰＬＬ４３１Ａ、及びＶＣＯ４３２Ａから１３．５６ＭＨｚの搬送波（短波）を発生させ、制御信号に基づいて発生した搬送波を変調・増幅させ、送受分離器４１４Ａ及びアンテナ１０Ａを介し、読み取り信号（例えば探索信号Ping等）を送信させる。なお、この読み取り信号の送信は常時行われている。
【０１１５】
次のステップＳ１２０では、フォークリフトＦの無線タグ回路素子Ｔo−ＦのＩＣ回路部１５０−Ｆから、送信した読み取り信号に対応した応答信号が受信されたかどうかを判定する。すなわち、例えばフォークリフトＦ１が倉庫の出入口３０を通過し、上記ステップＳ１１０でアンテナ１０Ａを介して常時送信される読み取り信号がフォークリフトＦ１の底部に設けられたタグラベルＴF1の無線タグ回路素子Ｔo−Ｆ１によって受信され、当該無線タグ回路素子Ｔo−Ｆ１から対応した応答信号が受信された場合には、判定が満たされて次のステップＳ１３０に移る。一方、応答信号が受信されない間は、ステップＳ１１０に戻って読み取り信号の送信状態を継続する。
【０１１６】
ステップＳ１３０では、上記送信部４１２Ｂに制御信号を送信し、水晶振動子４３０Ｂ、ＰＬＬ４３１Ｂ、及びＶＣＯ４３２Ｂから２．４５ＧＨｚの搬送波（極超短波）を発生させ、制御信号に基づいて発生した搬送波を変調・増幅させ、送受分離器４１４Ｂ及びアンテナ１０Ｂを介し、フォークリフトＦで搬送される複数の荷物Ｌに設けられるタグラベルＴLの無線タグ回路素子Ｔo−ＬのＩＣ回路部１５０−Ｌに対して読み取り信号（例えば探索信号Ping等）を送信させる。このときの無線通信は、２．４５ＧＨｚの極超短波（ＵＨＦ）を用いて行われる。
【０１１７】
次のステップＳ１４０では、フォークリフトＦで搬送される全ての荷物Ｌに係る無線タグ回路素子Ｔo−Ｌから、上記読み取り信号に対応した応答信号が受信されたかどうかを判定する。全荷物タグＴo−Ｌから応答信号を受信した場合には判定が満たされて、次のステップＳ１５０に移る。
【０１１８】
ステップＳ１５０では、上記ステップＳ１１０，１２０で読み取ったフォークリフトＦに関する情報と、上記ステップＳ１３０，１４０で読み取った荷物Ｌに関する情報とを関連付け、この関連付け情報を通信回線４０６を介しサーバ４０７のデータベースＤＢに登録させる。そして、先のステップＳ１１０に戻る。
【０１１９】
なお、上記ステップＳ１４０において、全荷物タグＴo−Ｌから応答信号を受信していない場合には、判定が満たされずに次のステップＳ１６０に移る。
【０１２０】
ステップＳ１６０では、上記ステップＳ１３０で最初に荷物Ｌの無線タグ回路素子Ｔo−Ｌに対し読み取り信号を送信した後、所定の時間が経過したかどうかを判定する。所定の時間が経過していない場合には、判定が満たされずにステップＳ１３０に戻る。一方、応答信号が受信されないまま所定の時間が経過してしまった場合には、判定が満たされて次のステップＳ１７０に移る。
【０１２１】
ステップＳ１７０では、音声報知手段４１７に対し報知信号を出力し、当該音声報知手段４１７により荷物タグの読み取りがうまくいかなかった旨を報知させる。なお、表示部４１５に対し表示信号を出力し、当該表示部４１５に荷物タグの読み取りがうまくいかなかった旨を表示させてもよい。そして、先のステップＳ１１０に戻る。
【０１２２】
図１５は、上記のようにしてサーバ４０７のデータベースＤＢに登録された関連付け情報の一例を模式的に表す概念図である。
【０１２３】
この図１５に示すように、サーバ４０７のデータベースＤＢには、フォークリフト、荷物、搬入日からなるテーブルが登録されている。フォークリフト、荷物に関する情報は、上述したようにスキャナ４００から通信回線４０６を介して受信される関連付け情報（ここではフォークリフト、荷物のＩＤ情報）とデータベースＤＢ上のフォークリフト、荷物情報とを照らし合わせることにより、フォークリフトの号数（運転者名でもよい）と荷物名（荷物の中身）がテーブル上に登録される（なお、ＩＤ自体を登録するようにしてもよい）。また、搬入日は、例えばサーバ４０７により自動的に付記登録されるようになっている。この図１５の例では、１０／１７にフォークリフトＦ１により荷物Ｌ１０〜Ｌ１７が倉庫に搬入され、１０／１８にはフォークリフトＦ２により荷物Ｌ５〜Ｌ７が搬入され、フォークリフトＦ１により荷物Ｌ１〜Ｌ４が搬入されたことを示している。
【０１２４】
なお、このテーブル情報を、適宜の操作を行うことにより、スキャナ４００の表示部４１５で表示するようにしてもよい。
【０１２５】
以上において、制御回路４０２（詳細には図１４のフロー中ステップＳ１５０）は、請求項８記載の関連付けを表す情報を生成する第１関連情報生成手段を構成する。また、制御回路４０２（詳細には図１４のフロー中ステップＳ１７０）は、請求項１０記載の対応する報知信号を生成する報知信号生成手段をも構成する。
【０１２６】
以上説明したように、本実施形態においては、フォークリフトＦが倉庫の出入口３０を通過する際に、当該フォークリフトＦ及び搬送する荷物Ｌに係る情報の読み取りが行われる。このとき、送信アンテナ１０Ａを介し、フォークリフトＦのタグラベルＴFに備えられる無線タグ回路素子Ｔo−ＦのＩＣ回路部１５０−Ｆに対して１３．５６ＭＨｚの周波数で読み取り信号が送信され、フォークリフトＦの情報が読み出されるとともに、送信アンテナ１０Ｂを介し、フォークリフトＦにより搬送される荷物Ｌに設けられるタグラベルＴLに備えられる無線タグ回路素子Ｔo−ＬのＩＣ回路部１５０−Ｌに対して２．４５ＧＨｚの周波数で読み取り信号が送信され、荷物Ｌの情報が読み出される。そして、これら読み出された車両情報と荷物情報とが、通信回線４０６を介しサーバ４０７へ入力され、適宜の情報（日付情報等）を付記されてデータベースＤＢに登録される。
【０１２７】
このように、本実施形態においては、スキャナ４００により、まず１３．５６ＭＨｚの短波（ＨＦ）を用いてフォークリフトＦの無線タグ回路素子Ｔo−Ｆに保持された車両情報の取得を完了した後に、２．４５ＧＨｚの極超短波（ＵＨＦ）を用いて荷物Ｌの無線タグ回路素子Ｔo−Ｌに保持された荷物情報を取得する。このように、フォークリフトＦと荷物Ｌとで異なる取得態様（本実施形態では異なる周波数の無線通信）を用いることにより、一律の取得態様（ここでは一律の周波数）で情報取得を行う場合に比べ、情報取得時の互いの干渉・悪影響（ここでは混信等の通信上の干渉・悪影響）を防止することができる。さらに、容易な操作をするのみ（本実施形態ではフォークリフトＦで出入口３０を通過するのみ）で複数の情報取得対象（フォークリフトＦと荷物Ｌ）から情報を読み取ることができるので、複数の情報取得対象から少ない手順で手軽かつ容易に情報を取得することができる。その他、前述の一実施形態と同様の効果についても得ることができる。
【０１２８】
なお、上記他の実施形態においては、荷物を搬送する物品搬送手段としてフォークリフトを例にとって説明したが、これに限られず、その他の搬送手段、例えばトラックやトレーラ、または（手押しの）台車等を用いて荷物の搬送を行う場合に本発明を適用してもよい。
【０１２９】
また、以上の本発明の一実施形態、他の実施形態においては、複数の情報取得対象から情報を取得するに際し、複数の取得態様として通信周波数を異ならせる場合を例にとって説明したが、これに限られず、例えば通信プロトコルを異ならせたり、読み取り信号の送信出力を異ならせたりすることで、取得態様を異ならせるようにしてもよい。この場合にも、上記実施形態と同様の効果を得ることができる。
【０１３０】
また、以上の本発明の一実施形態、他の実施形態においては、近距離での情報の取得（一実施形態では書籍情報の取得、他の実施形態ではフォークリフト情報の取得）を行う取得手段として、通信距離の短い短波（ＨＦ）を用いた無線通信を行う場合を例にとって説明したが、これに限られない。すなわち、情報保持手段として例えばバーコード等を用い（すなわち一実施形態ではバーコードを書籍に、他の実施形態ではバーコードをフォークリフトに設けておき）、バーコードリーダ等の光学的情報取得手段により情報を得るようにしてもよい。これによっても、上記実施形態と同様の効果を得ることができる。またこの場合、既存のバーコードによる物品管理システムを活用又は連携してシステムを形成することができるという利点もある。
【０１３１】
なお、以上で用いた「Ping」信号等は、ＥＰＣ  ｇｌｏｂａｌが策定した仕様に準拠しているものとする。ＥＰＣ  ｇｌｏｂａｌは、流通コードの国際機関である国際ＥＡＮ協会と、米国の流通コード機関であるＵｎｉｆｏｒｍｅｄ  Ｃｏｄｅ  Ｃｏｕｎｃｉｌ（ＵＣＣ）が共同で設立した非営利法人である。なお、他の規格に準拠した信号でも、同様の機能を果たすものであればよい。
【０１３２】
また、以上既に述べた以外にも、上記実施形態や各変形例による手法を適宜組み合わせて利用しても良い。
【０１３３】
その他、一々例示はしないが、本発明は、その趣旨を逸脱しない範囲内において、種々の変更が加えられて実施されるものである。
【図面の簡単な説明】
【０１３４】
【図１】本発明の情報読み取り装置の一実施形態を備えた図書館において、利用者が書籍を借りるときの様子を示す図である。
【図２】本発明の情報読み取り装置の一実施形態を有する無線タグ情報通信システムの全体構成を表すシステム構成図である。
【図３】本発明の情報読み取り装置の一実施形態であるハンディスキャナの全体概略構造を表す正面図である。
【図４】本発明の情報読み取り装置の一実施形態であるハンディスキャナの検索対象である書籍及び利用者に設けられるタグラベルに備えられた無線タグ回路素子の機能的構成の一例を表すブロック図である。
【図５】本発明の情報読み取り装置の一実施形態であるハンディスキャナの制御系の構成を表す機能ブロック図である。
【図６】本発明の情報読み取り装置の一実施形態であるハンディスキャナが有する制御回路の詳細機能を表す機能ブロック図である。
【図７】制御回路が実行する制御手順を表すフローチャートである。
【図８】サーバのデータベースに登録された関連付け情報の一例を模式的に表す概念図である。
【図９】定置型のスキャナを用いる場合の変形例における利用者が書籍を借りるときの様子を示す図である。
【図１０】場所タグを設ける場合の変形例における図書館の係員が書籍を書棚に戻すときの様子を示す図である。
【図１１】場所タグを設ける場合の変形例における返却時に制御回路が実行する制御手順を表すフローチャートである。
【図１２】本発明の情報読み取り装置の他の実施形態を有する無線タグ情報通信システムの全体構成を表すシステム構成図である。
【図１３】本発明の情報読み取り装置の他の実施形態であるスキャナの制御系の構成を表す機能ブロック図である。
【図１４】制御回路が実行する制御手順を表すフローチャートである。
【図１５】サーバのデータベースに登録された関連付け情報の一例を模式的に表す概念図である。
【符号の説明】
【０１３５】
１０Ｂ，Ｍ    アンテナ（第１取得手段、第２取得手段）
１０Ａ，Ｂ    アンテナ（第１取得手段、第２取得手段）
２００        ハンディスキャナ（情報読み取り装置）
２０１Ｂ，Ｍ  高周波回路（第１取得手段、第２取得手段）
２０２      制御回路（第１取得手段、第２取得手段、第１関連情報生成手段、報知信号生成手段）
３００      スキャナ（情報読み取り装置）
４００      スキャナ（情報読み取り装置）
４０１      高周波回路（第１取得手段、第２取得手段）
４０２      制御回路（第１取得手段、第２取得手段、第１関連情報生成手段、報知信号生成手段）
Ｂ          書籍（第１情報取得対象）
Ｆ          フォークリフト（第１情報取得対象、物品搬送手段）
Ｌ          荷物（第２情報取得対象、物品）
Ｍ          利用者（第２情報取得対象）
Ｔo−Ｂ      無線タグ回路素子（第１情報保持部、第１無線タグ回路素子）
Ｔo−Ｃ      無線タグ回路素子（第３情報保持部）
Ｔo−Ｆ      無線タグ回路素子（第１情報保持部、第１無線タグ回路素子）
Ｔo−Ｌ      無線タグ回路素子（第２情報保持部、第２無線タグ回路素子）
Ｔo−Ｍ      無線タグ回路素子（第２情報保持部、第２無線タグ回路素子）
【図１】
0004636326.tif 000002
【図２】
0004636326.tif 000003
【図３】
0004636326.tif 000004
【図４】
0004636326.tif 000005
【図５】
0004636326.tif 000006
【図６】
0004636326.tif 000007
【図７】
0004636326.tif 000008
【図８】
0004636326.tif 000009
【図９】
0004636326.tif 000010
【図１０】
0004636326.tif 000011
【図１１】
0004636326.tif 000012
【図１２】
0004636326.tif 000013
【図１３】
0004636326.tif 000014
【図１４】
0004636326.tif 000015
【図１５】
0004636326.tif 000016